(57)【要約】【課題】  従来のコンデンサは容量、耐電圧の性能が低いという課題があった。本発明は大容量かつ、高耐電圧のコンデンサを提供することにある。【解決手段】  コンデンサの電極板のうち、複数枚の電極板を所定の間隔で平行に並べ、極性が順次交互の極性となるように電気的に交互に接続して一方の電極とし、極性が反対側の電極に１枚の電極板を加えて電気的に交互に接続して他方の電極として容器の絶縁油の中に浸漬設置して構成することを特徴とする。  また、前記コンデンサの電極板のうち、単数または複数枚の電極板を一方の電極板として容器に満たされた電解質溶液に浸漬設置し、残りの複数枚の電極板の表面を前記水槽の電解質溶液の成分の比誘電率より大きい成分の絶縁体膜で電極板の間隔より薄く被覆するとともに、これら各電極板を電気的に並列に接続して並列に並べて他方の電極板として一方の電極板と同じ容器の電解質溶液の中に浸漬設置して構成することを特徴とする。【選択図】図１
2017147424.tif 000002
【特許請求の範囲】
【請求項１】
コンデンサの電極板のうち、複数枚の電極板を所定の間隔で平行に並べ、極性が順次交互の極性となるように電気的に交互に接続して一方の電極とし、極性が反対側の電極に１枚の電極板を加えて電気的に交互に接続して他方の電極として容器の絶縁油の中に浸漬設置して構成することを特徴とするコンデンサ。
【請求項２】
請求項１記載のコンデンサであって、
前記コンデンサの電極板のうち、単数または複数枚の電極板を一方の電極板として容器に満たされた電解質溶液に浸漬設置し、残りの複数枚の電極板の表面を前記容器の電解質溶液の成分の比誘電率より大きい成分の絶縁体膜で電極板の間隔より薄く被覆するとともに、これら各電極板を電気的に並列に接続して並列に並べて他方の電極板として一方の電極板と同じ容器の電解質溶液の中に浸漬設置して構成することを特徴とする。
【発明の詳細な説明】
【技術分野】
【０００１】本発明は、コンデンサに関するものである。
【背景技術】
【０００２】近年、従来より大容量、高耐電圧のコンデンサへの期待が強くなっている。
【先行技術文献】
【特許文献】
【０００３】
【特許文献１】特許第２９４７７１６号公報（波力発電装置）
【特許文献２】特許第３２４７０２２号公報（波力発電装置）
【発明の概要】
【発明が解決しようとする課題】
【０００４】従来のコンデンサ、キャパシタ等は大容量を確保しながらも耐電圧性能が低いという課題があった。特許文献１及び特許文献２に示されるコンデンサはいずれも海中に設置する発電装置用であり、その効率は海洋気象に左右され、また、荒天時には装置が破壊される等の課題があった。本発明は、これらの課題を解決するために陸地において使用するための大容量、かつ、高耐電圧のコンデンサを提供することにある。
【課題を解決するための手段】
【０００５】前記の課題を解決するために、第１発明のコンデンサは、
コンデンサの電極板のうち、複数枚の電極板を所定の間隔で平行に並べ、極性が順次交互の極性となるように電気的に交互に接続して一方の電極とし、極性が反対側の電極に１枚の電極板を追加接続して他方の電極として容器の絶縁油の中に浸漬設置して構成することを特徴とする。【０００６】また、第２発明のコンデンサは、第１発明のコンデンサであって、
前記コンデンサの電極板のうち、単数または複数枚の電極板を一方の電極板として容器に満たされた電解質溶液に浸漬設置し、残りの複数枚の電極板の表面を前記容器の電解質溶液の成分の比誘電率より大きい成分の絶縁体膜で電極板の間隔より薄く被覆するとともに、これら各電極板を電気的に並列に接続して並列に並べて他方の電極板として一方の電極板と同じ容器の電解質溶液の中に浸漬設置して構成することを特徴とする。【０００７】コンデンサを図１のように構成した場合、一方の電極板と他方の電極板が対向した両方の電極板を容器の絶縁油に浸漬設置することにより、一方の電極板／絶縁油／他方の電極板という構造のコンデンサが形成される。【０００８】コンデンサを図２のように構成した場合、容器の電解質溶液は導電性を示すのでコンデンサの両方の電極板を容器の電解質溶液に浸漬設置することにより、電解質溶液が一方の電極板と同電位となり、（一方の電極板）電解質溶液／絶縁体膜／他方の電極板という構造のコンデンサが形成される。
【発明の効果】
【０００９】第１発明によれば、両方の電極板を容器の絶縁油に浸漬設置することで電極板に絶縁体被覆処理する等の特殊な処理工程が不要である。他方の電極に１枚の電極板を追加接続したことにより静電容量を倍増させることができた。【００１０】第２発明によれば、一方の電極板と絶縁体膜被覆処理済の他方の電極板を水槽の電解質溶液に浸漬設置することにより、大容量、高耐電圧のコンデンサを実現できる。
【図面の簡単な説明】
【００１１】
【図１】本発明実施例１のコンデンサの構成図である。
【図２】本発明実施例１の電極板の構成図である。
【図３】本発明実施例２のコンデンサの構成図である。
【図４】本発明実施例２の他方の電極板の構成図である。
【発明を実施するための形態】
【００１２】本発明の実施例を図面（図１、図２、図３及び図４）に基づいて説明する。
【実施例１】
【００１３】以下、第１発明のコンデンサについて図１、図２に基づいて説明する。
（１）単数または複数枚の電極板１にリード線２を取り付けて絶縁体のスペーサ３を挟んで平行に並べ、極性が順次交互の極性となるように電気的に交互に接続して一方の電極板４（−）とし、極性が反対側の電極に１枚の電極板１を加えて電気的に交互に接続して他方の電極極板５（＋）として容器６の絶縁油７に浸漬設置する。
（２）容器６の上部に蓋１０、接続端子１１、注入口１２及び注入口蓋１３を取り付ける。
以上から構成される実施例１のコンデンサ。
【実施例２】
【００１４】以下、第１発明のコンデンサについて図３、図４に基づいて説明する。
（１）単数または複数枚の電極板１にリード線２を取り付けて一方の電極板４（−）として容器６に満たされた電解質溶液８に浸漬設置する。
（２）残りの複数枚の電極板１にリード線２を取り付けて、電極板１及びリード線２の表面を容器６の電解質溶液７の成分の比誘電率より比誘電率が大きい成分の絶縁体膜９（例えば、フッ化ビニリデンやフッ化ビニリデンとトリフルオルフチレンの共重合体等）で、各電極板１間の間隔より薄く被覆する。
（３）絶縁体膜９で被覆された電極板１を絶縁体のスペーサ３を挟んで電気的に並列に接続して並列に並べて他方の電極板５（＋）として容器６の電解質溶液８に浸漬設置する。
（４）容器６の上部に蓋１０、接続端子１１、注入口１２及び注入口蓋１３を取り付ける。
以上から構成される実施例２のコンデンサ。【００１５】以上、本発明の課題を解決するための手段及び実施例を説明したが、本発明の範囲はこれに限定されるものではない。例えば、電極板の数量、容器内の設置方法等については状況に応じて適宜選択されるものである。
【産業上の利用の可能性】
【００１６】本コンデンサは大容量、かつ、高耐電圧の性能を保有しており他のコンデンサとともに産業上の利用の可能性は高いものがある。
【符号の説明】
【００１７】１    電極板        ２    リード線  ３    スペーサ  ４    一方の電極板
５    他方の電極板  ６    容器      ７    絶縁油    ８    電解質溶液
９    絶縁体膜      １０  蓋        １１  接続端子  １２  注入口
１３  注入口蓋
【図１】
2017147424.tif 000003
【図２】
2017147424.tif 000004
【図３】
2017147424.tif 000005
【図４】
2017147424.tif 000006